(57)【特許請求の範囲】
【請求項１】
回転方向に沿ってＮ極、Ｓ極が交互に形成される回転子と、
この回転子の軸線方向の両端面に固着された遠心ファンと、
前記回転子を囲った固定子鉄心及びこの固定子鉄心の軸線方向に延びかつ周方向に間隔をおいて複数形成されたスロットに装着された固定子巻線を有した固定子とを備え、
前記固定子巻線は、前記スロット内に収まる一対の直線部と、この直線部同士を連結した連結部と、前記直線部の先端部に設けられ前記固定子鉄心の一端面から突出したつなぎ部とからなる略Ｕ字状に形成された複数個の導体セグメント同士が接続されて構成され、
また、前記固定子巻線は、前記スロット内で径方向最内径側の層から延出した前記導体セグメントのつなぎ部と周方向に所定スロット数離れたスロット内で径方向最内径側から一つ外側の層から延出した前記導体セグメントのつなぎ部とが接続された複数の接続部を有し、かつこの複数の接続部が周方向にそれぞれ配列されたつなぎ部側コイルエンドと、前記固定子鉄心の他端面において前記スロット内で径方向最内径側の層および周方向に所定スロット数離れたスロット内で径方向最内径側から一つ外側の層から突出した複数の前記導体セグメントの前記連結部が周方向にそれぞれ配列された連結部側コイルエンドとを有する内側巻線部と、
前記スロット内で径方向最外径側の層から延出した前記導体セグメントのつなぎ部と周方向に所定スロット数離れたスロット内で径方向最外径側から一つ内側の層から延出した前記導体セグメントのつなぎ部とが互いに開く方向に折曲されて接続された複数の接続部を有し、かつこの複数の接続部が周方向にそれぞれ配列されたつなぎ部側コイルエンドと、前記固定子鉄心の他端面において前記スロット内で径方向最外径側の層および周方向に所定スロット数離れたスロット内で径方向最外径側から一つ内側の層から突出した複数の前記導体セグメントの前記連結部が周方向にそれぞれ配列された連結部側コイルエンドとを有する外側巻線部とから構成された交流発電機において、
前記内側巻線部の前記導体セグメントと、前記外側巻線部の前記導体セグメントとは、ほぼ同一形状部品で構成されており、
前記内側巻線部の前記つなぎ部側コイルエンド及び前記連結部側コイルエンドの軸線方向の長さは、前記外側巻線部の前記つなぎ部側コイルエンド及び前記連結部側コイルエンドの軸線方向の長さよりも長く、
また、前記内側巻線部の前記つなぎ部側コイルエンド及び前記連結部側コイルエンド、並びに前記外側巻線部の前記つなぎ部側コイルエンド及び前記連結部側コイルエンドは、それぞれ前記遠心ファンの径方向外側に設けられており、かつ前記内側巻線部の前記つなぎ部側コイルエンド及び前記連結部側コイルエンドのそれぞれの端部は、前記遠心ファンと径方向において重なっていることを特徴とする交流発電機。
【発明の詳細な説明】
【技術分野】
【０００１】
この発明は、例えば乗用車、トラック等の乗り物に搭載される車両用交流発電機に関し、特にその固定子の固定子巻線に関するものである。
【背景技術】
【０００２】
従来、回転方向に沿ってＮ極、Ｓ極が交互に形成される回転子と、この回転子を囲った固定子鉄心及びこの固定子鉄心の軸線方向に延び、かつ周方向に間隔をおいて複数形成されたスロットに装着された固定子巻線とを有した固定子とを備え、前記固定子巻線は、前記スロット内に収まる一対の直線部と、この直線部同士を連結した連結部と、前記直線部の先端部に設けられ前記固定子鉄心の一端面から突出したつなぎ部とからなる略Ｕ字状に形成された複数個の導体セグメント同士が接続されて構成され、かつ前記固定子巻線のコイルエンドを構成する前記連結部では、一方の導体セグメントの連結部が他方の導体セグメントの連結部を覆っている車両用交流発電機が知られている（例えば、特許文献１参照）。
【０００３】
【特許文献１】特開２００１−２３１２０３号公報（図２〜図６）
【発明の開示】
【発明が解決しようとする課題】
【０００４】
このものの場合、コイルエンドでは、一方の導体セグメントの連結部が他方の導体セグメントの連結部を覆っており、少なくとも２種類の導体セグメントを用意しなければならなず、製造コストが嵩むという問題点があった。
【０００５】
この発明は、上記のような問題点を解決することを課題とするものであって、内側巻線部及び外側巻線部がともに同一形状部品の導体セグメントで構成され、製造コストが低減された交流発電機を得ることを目的とする。
【課題を解決するための手段】
【０００６】
この発明に係る交流発電機では、内側巻線部の導体セグメントと、外側巻線部の導体セグメントとはほぼ同一形状部品であり、内側巻線部のつなぎ部側コイルエンド及び連結部側コイルエンドの軸線方向の長さは、外側巻線部のつなぎ部側コイルエンド及び連結部側コイルエンドの軸線方向の長さよりも長く、また、前記内側巻線部の前記つなぎ部側コイルエンド及び前記連結部側コイルエンド、並びに前記外側巻線部の前記つなぎ部側コイルエンド及び前記連結部側コイルエンドは、それぞれ前記遠心ファンの径方向外側に設けられており、かつ前記内側巻線部の前記つなぎ部側コイルエンド及び前記連結部側コイルエンドのそれぞれの端部は、前記遠心ファンと径方向において重なっている。
【発明の効果】
【０００７】
この発明では、内側巻線部の導体セグメントと外側巻線部の導体セグメントとはほぼ同一形状部品であり、製造コストが低減される。
【発明を実施するための最良の形態】
【０００８】
実施の形態１．
図１はこの発明の実施の形態１の車両用交流発電機を示す断面図、図２は図１の固定子７の部分斜視図、図３は図１の矢印Ａに沿って固定子７を視たときの図である。
この車両用交流発電機は、アルミニウム製のフロントブラケット１及びリヤブラケット２から構成されたケース３と、このケース３内に設けられ一端部にプーリ４が固定されたシャフト５と、このシャフト５に固定されたランドル型の回転子６と、ケース３の内壁面に固定された固定子７と、シャフト５の他端部に固定され回転子６に電流を供給するスリップリング８と、スリップリング８に摺接した一対のブラシ９と、このブラシ９を収納したブラシホルダ１０と、固定子７に電気的に接続され固定子７で生じた交流を直流に整流する整流器１１と、ブラシホルダ１０に固定されたヒートシンク１２に接着され電圧の大きさを調整するレギュレータ１３とを備えている。
【０００９】
回転子６は、電流を流して磁束を発生する回転子コイル１４と、この回転子コイル１４を覆うように設けられ、回転子コイル１４で発生された磁束によって磁極が形成される一対のポールコア１５、１６とから構成される。一対のポールコア１５、１６は、鉄製で、それぞれ爪形状の爪状磁極１７、１８が外周縁に周方向に等角ピッチで複数突設され、爪状磁極１７、１８をかみ合わせるように対向してシャフト５に固着されている。さらに、遠心ファン１９が回転子６の軸線方向の両端面に固着されている。
【００１０】
固定子７は、周方向に等分間隔で軸線方向に延びて形成され全数が９６のスロット２０を有する固定子鉄心２１と、円環状のこの固定子鉄心２１に導線を巻回し回転子６の回転に伴い回転子６からの磁束の変化で交流が生じる固定子巻線２２とから構成されている。
【００１１】
この固定子巻線２２は、ａ相固定子巻線部、ｂ相固定子巻線部及びｃ相固定子巻線部で構成され、これらの各相固定子巻線部は互いに１スロットづつ周方向にシフトして配置され、かつ互いに星型結線された、２組の３相固定子巻線である。
図４はａ相固定子巻線部２３の巻線図であり、ｂ相固定子巻線部、ｃ相固定子巻線図は示されていない。なお、この図では図中、実線はリヤブラケット２側の導線（後述する導体セグメントの連結部である。）を示し、点線はフロントブラケット１側の導線（後述する導体セグメントのつなぎ部である。）を示している。また、図３において固定子鉄心２１の内周側に記された番号は、固定子鉄心２１のスロット２０の番号を示している。
【００１２】
ａ相固定子巻線部２３は、内側巻線部２４及び外側巻線部２５から構成されている。
内側巻線部２４は、図４において、例えばスロット番号が３１番でスロット２０内の内周側から１番目（以後、内周側から１番目は１番地、２番目は２番地、３番目は３番地、４番目は４番地と呼ぶ。）では、導線は、リヤブラケット２側から時計方向に延びてスロット番号３７の２番地のスロット２０内に入り、スロット２０を通過してフロントブラケット１側に出る。次に、導線は、時計方向に延びてフロントブラケット１側からスロット番号４３の１番地のスロット２０内に入り、スロット２０を通過してリヤブラケット２側に出る。さらに、時計方向に延びてリヤブラケット２側からスロット番号４９の２番地のスロット２０内に入る。
また、内側巻線部２４は、例えばスロット番号が２５番でスロット２０内の１番地では、導線は、リヤブラケット２側から時計方向に延びてスロット番号３１の２番地のスロット２０内に入り、スロット２０を通過してフロントブラケット１側に出る。次に、導線は、時計方向に延びてフロントブラケット１側からスロット番号３７の１番地のスロット２０内に入り、スロット２０を通過してリヤブラケット２側に出る。さらに、時計方向に延びてリヤブラケット２側からスロット番号４３の２番地のスロット２０内に入る。
このように、内側巻線部２４では、導線は、スロット２０内で１番地の層と、この層から周方向に５スロット分間隔を空けて６番目のスロット２０内で２番地の層とに繰り返して配置されながら周回している。
【００１３】
また、外側巻線部２５は、図４において、例えばスロット番号が３１番でスロット２０内の３番地では、導線は、リヤブラケット２側から時計方向に延びてスロット番号３７の４番地のスロット２０内に入り、スロット２０を通過してフロントブラケット１側に出る。次に、導線は、時計方向に延びてフロントブラケット１側からスロット番号４３の３番地のスロット２０内に入り、スロット２０を通過してリヤブラケット２側に出る。さらに、時計方向に延びてリヤブラケット２側からスロット番号４９の４番地のスロット２０内に入る。
また、外側巻線部２５は、図４において、例えばスロット番号が２５番でスロット２０内の３番地では、導線は、リヤブラケット２側から時計方向に延びてスロット番号３１の４番地のスロット２０内に入り、スロット２０を通過してフロントブラケット１側に出る。
次に、導線は、時計方向に延びてフロントブラケット１側からスロット番号３７の３番地のスロット２０内に入り、スロット２０を通過してリヤブラケット２側に出る。さらに、時計方向に延びてリヤブラケット２側からスロット番号４３の４番地のスロット２０内に入る。
このように、外側巻線部２５では、導線は、スロット２０内で３番地の層と、この層から周方向に５スロット分間隔を空けて６番目のスロット２０内で４番地の層とに繰り返して配置されながら周回している。
【００１４】
なお、ｂ相固定子巻線部及びｃ相固定子巻線部については、ａ相固定子巻線部２３と同様であり、その説明は省略する。
【００１５】
外側巻線部２５は図５に示す導体セグメント２６Ａを接続して構成されている。また、内側巻線部２４は図６に示す導体セグメント２６Ｂを接続して構成されている。導体セグメント２６Ａを直線状にしたときの導体片の全長は導体セグメント２６Ｂを直線状にしたときの導体片の全長と等しい。
導線の構成要素である導体セグメント２６Ａ、２６Ｂは、絶縁被覆された断面丸形状の銅線材を略Ｕ字状に成形したもので、スロット２０内に収まる一対の直線部２７と、直線部２７同士を連結した連結部２８と、直線部２７の先端部に設けられ両開きして隣接した導体セグメント２６Ａ、２６Ｂ同士をつなぐつなぎ部２９とから構成されている。
【００１６】
次に、導体セグメント２６Ａ、２６Ｂを用いてａ相固定子巻線部２３を形成する手順について説明する。
先ず、所定のスロット番号及び番地に、導体セグメント２６Ａ、２６Ｂの一方の直線部２７及び６スロット離れた他方の直線部２７をリヤブラケット２側から挿入し、各スロット２０内では、導体セグメント２６Ａ、２６Ｂの直線部２７が径方向に１列に４本並んで配列される。
この際、内側巻線部２４の導体セグメント２６Ｂは、外側巻線部２５の導体セグメント２６Ａと比較して内径側に配置され、それだけ周方向のスロット２０間の距離が短いので、図６の矢印Ｂに示すように、変形されながら、スロット２０内に挿入される。
【００１７】
その後、フロントブラケット１側では、図４の巻線図の点線で示すように、フロントブラケット１側に直線部２７から延出されたつなぎ部２９と、６スロット離れた直線部２７から延出されたつなぎ部２９とを接合し、４ターンのａ相固定子巻線部２３を形成する。なお、図４の点線から分かるように、内側巻線部２４では、スロット２０内の１番地からフロントブラケット１側にそれぞれ延出された導体セグメント２６のつなぎ部２９は反時計方向に６スロット離れたスロット２０内の２番地からフロントブラケット１側にそれぞれ延出された導体セグメント２６のつなぎ部２９とそれぞれフロントブラケット１側で接合されている。また、スロット２０内の２番地からフロントブラケット１側にそれぞれ延出された導体セグメント２６のつなぎ部２９は時計方向に６スロット離れたスロット２０内の１番地からフロントブラケット１側にそれぞれ延出された導体セグメント２６のつなぎ部２９とそれぞれフロントブラケット１側で接合されている。
【００１８】
また、図４の点線から分かるように、外側巻線部２５では、スロット２０内の３番地からフロントブラケット１側にそれぞれ延出された導体セグメント２６のつなぎ部２９は反時計方向に６スロット離れたスロット２０内の４番地からフロントブラケット１側にそれぞれ延出された導体セグメント２６のつなぎ部２９とそれぞれフロントブラケット１側で接合されている。また、スロット２０内の４番地からフロントブラケット１側にそれぞれ延出された導体セグメント２６のつなぎ部２９は時計方向に６スロット離れたスロット２０内の３番地からフロントブラケット１側にそれぞれ延出された導体セグメント２６のつなぎ部２９とそれぞれフロントブラケット１側で接合されている。
【００１９】
導体セグメント２６Ａ、２６Ｂのつなぎ部２９の先端部同士は、曲げ工程のし易さから、導体セグメント２６が挿入されている２つのスロット２０間のほぼ真ん中の位置で径方向に重ね合わされ、クランプが巻き付けられた後、半田溶接されている。
このようにして、内側巻線部２４では、つなぎ部２９の先端部同士が接続された複数の接続部が周方向にそれぞれ配列されたつなぎ部側コイルエンド４０が形成されている。
外側巻線部２５では、つなぎ部２９の先端部同士が接続された複数の接続部が周方向にそれぞれ配列されたつなぎ部側コイルエンド４１が形成されている。
また、内側巻線部２４では、複数の連結部２８が周方向にそれぞれ配列された連結部側コイルエンド４２が形成されている。
外側巻線部２５では、複数の連結部２８が周方向にそれぞれ配列された連結部側コイルエンド４３が形成されている。
この実施の形態では、内側巻線部２４を構成する導体セグメント２６Ｂと外側巻線部２５を構成する導体セグメント２６Ａとは同一形状であり、そのため内側巻線部２４のつなぎ部側コイルエンド４０の高さＦ１は、外側巻線部２５のつなぎ部側コイルエンド４１の高さＦ２よりも大きい。また、内側巻線部２４の連結部側コイルエンド４２の高さＲ１は、外側巻線部２５の連結部側コイルエンド４３の高さＲ２よりも大きい。
【００２０】
同様にして、４ターンのｂ相固定子巻線部、ｃ相固定子巻線部が形成され、その後それぞれの各相固定子巻線部は星型結線されて３相固定子巻線が形成されている。
【００２１】
このように構成された車両用交流発電機では、電流がバッテリ（図示せず）からブラシ９及びスリップリング８を介して回転子コイル１４に供給され、磁束が発生される。この磁束により、一方のポールコア１５の爪状磁極１７がＮ極に着磁され、他方のポールコア１６の爪状磁極１８がＳ極に着磁される。一方、エンジンの回転トルクがベルト及びプーリ４を介してシャフト５に伝達され、回転子６が回転される。そこで、固定子巻線２２に回転磁界が与えられ、固定子巻線２２に起電力が発生する。この交流の起電力が整流器１１を通って直流に整流されるとともに、その大きさがレギュレータ１３により調整され、バッテリに充電される。
また、回転子６の軸線方向の両端面に固定された遠心ファン１９の回転により、図１中の矢印Ｃで示されるように、リヤブラケット２側においては、外気が吸気孔３１を通じて吸い込まれて整流器１１、レギュレータ１３を冷却し、その後遠心ファン１９により遠心方向に曲げられて固定子巻線２２の連結部側コイルエンド４２、４３を冷却し、排気孔３２から外部に排出される。また、図１中の矢印Ｄで示されるように、フロントブラケット１側においては、外気が吸気孔３１を通じて吸い込まれた後遠心ファン１９により遠心方向に曲げられて固定子巻線２２のつなぎ部側コイルエンド４１、４２を冷却し、排気孔３２から外部に排出される。
【００２２】
この実施の形態の車両用交流発電機では、内側巻線部２４を構成する導体セグメント２６Ｂと、外側巻線部２５を構成する導体セグメント２６Ａとは同一形状部品であり、当然導体セグメント２６Ａと導体セグメント２６Ｂとは変形する前の導体片は同一仕様でよく、製造コストが低減される。
【００２３】
なお、内側巻線部２４を構成する導体セグメント２６Ｂと、外側巻線部２５を構成する導体セグメント２６Ａとは同一であって、図７の矢印Ｃに示すように、外側巻線部２５の導体セグメント２６Ａを拡げて変形されながら、スロット２０内に挿入し、内側巻線部２４の導体セグメント２６Ｂを変形することなくそのままスロット２０内に挿入するものであってもよい。
また、固定子巻線２２では導体が４周回する３相の固定子巻線２２について説明したが、さらに低速で高出力が要求される場合には、導線の周回数が６周回、８周回としてもよい。
また、この発明は、車両用交流発電機に限定されるものではなく、例えば船外機用交流発電機にも適用できる。
【図面の簡単な説明】
【００２４】
【図１】この発明の実施の形態１の車両用交流発電機を示す側断面図である。
【図２】図１の固定子の部分斜視図である。
【図３】図１の矢印Ａに沿って固定子を視たときの図である。
【図４】図１の固定子巻線の部分結線部である。
【図５】外側巻線部の導体セグメントが固定子鉄心のスロットに挿入され、つなぎ部が変形されるまでの様子を示す図である。
【図６】内側巻線部の導体セグメントが固定子鉄心のスロットに挿入され、つなぎ部が変形されるまでの様子を示す図である。
【図７】外側巻線部の導体セグメントが固定子鉄心のスロットに挿入され、つなぎ部が変形されるまでの様子の他の例を示す図である。
【図８】内側巻線部の導体セグメントが固定子鉄心のスロットに挿入され、つなぎ部が変形されるまでの様子の他の例を示す図である。
【符号の説明】
【００２５】
１  フロントブラケット、２  リヤブラケット、３  ケース、５  シャフト、６  回転子、７  固定子、１７，１８  爪状磁極、２０  スロット、２１  固定子鉄心、２２  固定子巻線、２４  内側巻線部、２５  外側巻線部、２６Ａ、２６Ｂ  導体セグメント、２７  直線部、２８  連結部、２９  つなぎ部、４０，４１  つなぎ部側コイルエンド、４２，４３  連結部側コイルエンド。
【図１】
0004606746.tif 000002
【図２】
0004606746.tif 000003
【図３】
0004606746.tif 000004
【図４】
0004606746.tif 000005
【図５】
0004606746.tif 000006
【図６】
0004606746.tif 000007
【図７】
0004606746.tif 000008
【図８】
0004606746.tif 000009